(57)【特許請求の範囲】
【請求項１】
ＨＳ−ＳＣＣＨ削減（HS-SCCH-less）（ＨＳＬ）動作期間中にＨＳ−ＤＳＣＨ上で受信されたデータ伝送を処理する方法であって、
該受信されたデータ伝送に対応する冗長バージョン情報がＨＳ−ＳＣＣＨから取得されることが出来ないＨＳＬ動作期間中の状態を特定すること、ここで前記冗長バージョン情報は該受信されたデータ伝送に対するデレート・マッチングを規定するＨＳＬ冗長バージョンを示しており、及び
前記特定することに応答して、前記状態におけるデレート・マッチングに対してＨＳＬによって規定されたＨＳＬ冗長バージョンとは異なる第１ＨＳＬ冗長バージョンに従って、該受信されたデータ伝送にデレート・マッチングを適用すること、を具備し、
ここで、前記データ伝送は前記ＨＳＬ動作期間中の第１または第２のデータの再送であり、
前記第１ＨＳＬ冗長バージョンと前記規定されたＨＳＬ冗長バージョンは、ＨＳＬ冗長バージョンのセットの中から選択されており、
ＨＳＬ冗長バージョンの前記セットは、前記規定されたＨＳＬ冗長バージョンとは異なる第２ＨＳＬ冗長バージョンを除く、ＨＳＬ冗長バージョンを含み、
前記第２ＨＳＬ冗長バージョンは、パリティ・ビットのパンクチャリングの前にシステマティック・ビットのパンクチャリングを優先させるレート・マッチングを規定している、
方法。
【請求項２】
該受信されたデータ伝送に関連付けられる可能性のある、トランスポート・ブロック・サイズを示す情報に基づいて、前記ＨＳＬ冗長バージョンの前記セットを限定することを含む、
請求項１の方法。
【請求項３】
前記限定することは、もし前記トランスポート・ブロック・サイズの全てがある閾値を超える場合、前記規定されたＨＳＬ冗長バージョンとは異なる第２ＨＳＬ冗長バージョンを前記セットから除外することを含む、請求項２の方法。
【請求項４】
前記状態は、（１）前記冗長バージョン情報がＨＳ−ＳＣＣＨから欠如していること及び（２）前記冗長バージョン情報がＨＳ−ＳＣＣＨから復号されることが出来ないこと、の内の１つである、請求項１の方法。
【請求項５】
ＨＳＬ動作期間中にＨＳ−ＤＳＣＨ上で受信されたデータ伝送を処理するための装置あって、
ＨＳ−ＤＳＣＨ上のデータ伝送を受信するための、及び、ＨＳ−ＳＣＣＨ上の制御情報伝送を受信するための入力端、
前記入力端に結合され、そして、受信されたデータ伝送に対応する冗長バージョン情報がＨＳ−ＳＣＣＨから取得されることができないＨＳＬ動作期間中の状態を特定して該状態の表示を生成するために構成された、入力処理部であって、前記冗長バージョン情報は該受信されたデータ伝送に対するデレート・マッチングを規定するＨＳＬ冗長バージョンを示す、入力処理部、
前記入力端に結合され、そして、該受信されたデータ伝送にデレート・マッチングを適用するために構成された、デレート・マッチング部、及び
前記入力処理部と前記デレート・マッチング部に結合される制御装置であって、前記制御装置は、前記状態におけるデレート・マッチングに対してＨＳＬによって規定されたＨＳＬ冗長バージョンとは異なる第１ＨＳＬ冗長バージョンに従って、該受信されたデータ伝送にデレート・マッチングを適用するように、前記デレート・マッチング部を制御するために、前記表示に応答する制御装置であり、
ここで、
前記データ伝送は前記ＨＳＬ動作期間中の第１または第２のデータの再送であり、
前記第１ＨＳＬ冗長バージョンと前記規定されたＨＳＬ冗長バージョンは、選択器により、ＨＳＬ冗長バージョンのセットの中から選択されており、
ＨＳＬ冗長バージョンの前記セットは、前記規定されたＨＳＬ冗長バージョンとは異なる第２ＨＳＬ冗長バージョンを除く、ＨＳＬ冗長バージョンを含み、
前記第２ＨＳＬ冗長バージョンは、パリティ・ビットのパンクチャリングの前にシステマティック・ビットのパンクチャリングを優先させるレート・マッチングを規定している、
装置。
【請求項６】
ＨＳＬ動作期間中にＨＳ−ＤＳＣＨ上で受信されたデータ伝送を処理するための装置であって、
該受信されたデータ伝送に対応する冗長バージョン情報がＨＳ−ＳＣＣＨから取得されることができないＨＳＬ動作期間中の状態を特定するための手段、ここで前記冗長バージョン情報は該受信されたデータ伝送に対するデレート・マッチングを規定するＨＳＬ冗長バージョンを示す、及び
前記状態におけるデレート・マッチングに対してＨＳＬによって規定されるＨＳＬ冗長バージョンとは異なる第１ＨＳＬ冗長バージョンに従って、該受信されたデータ伝送にデレート・マッチングを適用するために、前記状態の特定に応答する手段を具備し、
ここで前記データ伝送は前記ＨＳＬ動作期間中の第１または第２のデータの再送であり、
前記第１ＨＳＬ冗長バージョンと前記規定されたＨＳＬ冗長バージョンは、選択手段により、ＨＳＬ冗長バージョンのセットの中から選択されており、
ＨＳＬ冗長バージョンの前記セットは、前記規定されたＨＳＬ冗長バージョンとは異なる第２ＨＳＬ冗長バージョンを除く、ＨＳＬ冗長バージョンを含み、
前記第２ＨＳＬ冗長バージョンは、パリティ・ビットのパンクチャリングの前にシステマティック・ビットのパンクチャリングを優先させるレート・マッチングを規定している、
装置。
【請求項７】
ＨＳＬ動作のための無線通信装置であって、
ＨＳ−ＤＳＣＨ上のデータ伝送を受信するための、及び、ＨＳ−ＳＣＣＨ上の制御情報伝送を受信するための入力端、
前記入力端に結合され、そして、受信されたデータ伝送に対応する冗長バージョン情報がＨＳ−ＳＣＣＨから取得されることができないＨＳＬ動作期間中の状態を特定して該状態の表示を生成するために構成された、入力処理部であって、前記冗長バージョン情報は該受信されたデータ伝送に対するデレート・マッチングを規定するＨＳＬ冗長バージョンを示す、入力処理部、
前記入力に結合され、そして、該受信されたデータ伝送にデレート・マッチングを適用するために構成された、デレート・マッチング部、及び
前記入力処理部と前記デレート・マッチング部に結合される制御装置であって、前記制御装置は、前記状態におけるデレート・マッチングに対してＨＳＬによって規定されたＨＳＬ冗長バージョンとは異なる第１ＨＳＬ冗長バージョンに従って、該受信されたデータ伝送にデレート・マッチングを適用するように、前記デレート・マッチング部を制御するために、前記表示に応答する、ここで前記データ伝送は前記ＨＳＬ動作期間中の第１または第２のデータの再送であり、
前記第１ＨＳＬ冗長バージョンと前記規定されたＨＳＬ冗長バージョンは、選択器により、ＨＳＬ冗長バージョンのセットの中から選択されており、
ＨＳＬ冗長バージョンの前記セットは、前記規定されたＨＳＬ冗長バージョンとは異なる第２ＨＳＬ冗長バージョンを除く、ＨＳＬ冗長バージョンを含み、
前記第２ＨＳＬ冗長バージョンは、パリティ・ビットのパンクチャリングの前にシステマティック・ビットのパンクチャリングを優先させるレート・マッチングを規定している、
制御装置、及び
前記デレート・マッチング部に結合され、そして、該受信されたデータ伝送に含まれるアプリケーション情報に基づいて、利用者アプリケーションを実行するために構成されたアプリケーション実行部、
を具備する装置。
【請求項８】
前記制御装置は、前記規定されたＨＳＬ冗長バージョンに従って、該受信されたデータ伝送にデレート・マッチングを適用するように、前記デレート・マッチング部を制御するために、前記表示に更に応答する、請求項７の装置。
【請求項９】
前記利用者アプリケーションはＶｏＩＰアプリケーションと対話型ゲーム・アプリケーションの内の１つを含む、請求項７の装置。
【発明の詳細な説明】
【技術分野】
【０００１】
本発明は一般に無線通信に係り、特に、下り回線無線通信に関する。
【背景技術】
【０００２】
下記の技術規格が本明細書において参照として組み込まれる。
【０００３】
“３ＧＰＰ  ＴＳ２５．２１４Ｖ７．７．０（２００７−１１）”、“第３世代パートナーシップ・プロジェクト（3rd Generation Partnership Project）；技術仕様グループ無線アクセス・ネットワーク（Technical Specification Group Radio Access Network）；物理層手順（Physical layer procedures）（ＦＤＤ）（リリース７）”としても知られる（本明細書ではＴＳ２５．２１４として参照される）。及び
“３ＧＰＰ  ＴＳ２５．２１２Ｖ７．７．０（２００７−１１）”、“第３世代パートナーシップ・プロジェクト；技術仕様グループ無線アクセス・ネットワーク；多重化およびチャネル符号化（Multiplexing and channel coding）（ＦＤＤ）（リリース７）”としても知られる。
【０００４】
文書ＴＳ２５．２１４は、ＨＳＤＰＡ（High Speed Downlink Packet Access：高速下り回線パケット・アクセス）を利用する低スループット・アプリケーションを目標とする、“ＨＳ−ＳＣＣＨ削減”（HS-SCCH-less）（“ＨＳＬ”とも呼ばれる）動作を規定する。アプリケーションの実例はボイス・オーバーＩＰ（ＶｏＩＰ）通信、及び、対話型ゲームを含む。ＨＳ−ＳＣＣＨ削減機能は、ＨＳ−ＳＣＣＨ（High Speed Shared Control Channel：高速共有制御チャネル）として公知の制御チャネルに通常関連付けられるシグナリング・オーバーヘッドを削減することによって、ＨＳＤＰＡ動作におけるセル容量を増加させることを目的とする。その名が示唆するように、ＨＳ−ＳＣＣＨ削減機能は、ＨＳ−ＳＣＣＨの使用に関連付けられる制御シグナリング・オーバーヘッドを用いないＨＳＤＰＡ動作をサポートする。
【０００５】
通常ＨＳＤＰＡ動作では、ＨＳ−ＤＳＣＨ上のそれぞれの下り回線データ伝送は、ＨＳ−ＳＣＣＨ上の制御情報の対応する下り回線伝送によって先行される。この制御情報は、ＵＥ（user equipment：利用者装置、例えば、セル電話）が対応するデータ伝送を如何に復号すべきかを規定する。該制御情報は通常ＨＳ−ＤＳＣＨトランスポート・フォーマット（transport format）を特定する。ＨＳ−ＤＳＣＨトランスポート・フォーマット（ＴＦ）は下記のパラメータ、即ち、トランスポート・ブロック・サイズ（物理層パケット・サイズ）、ＨＳ−ＰＤＳＣＨ（High Speed Physical Downlink Shared Channel：高速物理下り回線共有チャネル）に関連付けられるＯＶＳＦ（Orthogonal Variable Spreading Factor：直交可変拡散率）符号のセット、及び変調（例えば、ＱＰＳＫ）、を特定する。
【０００６】
ＨＳＬモードの動作は、ＨＳ−ＤＳＣＨ（High Speed Downlink Shared Channel：高速下り回線共有チャネル）として公知の下り回線データ・チャネル上で、所与のデータ・トランスポート・ブロックを送信するために、物理層における最大３回の試行まで準備する。ＵＥからの上り回線上で期待される確認応答（acknowledgement）（ＡＣＫ）の不在によって証明される場合のように、もし最初の試行が不成功の場合、第２の送信試行（即ち、第１再送）が行われる。ＵＥからの上り回線上でのＡＣＫの不在もしくは否定応答（negative acknowledgement）の存在によって証明される場合のように、もし第２の送信試行が不成功の場合、第３の送信試行（即ち、第２再送）が行われる。ＨＳＬモードでは、ＨＳ−ＤＳＣＨ上の所与のデータ伝送は（最大）４つの可能なトランスポート・フォーマット（ＴＦｓ）の内任意の１つによって特徴づけられる。
【０００７】
ＨＳＬ動作に従えば、ＨＳ−ＳＣＣＨは所与のデータ・トランスポート・ブロックに対する初回の下り回線データ伝送試行に関連付けられる制御情報を送信するためには使用されない。ＵＥは、従って、復号が如何に行われるべきかを規定する制御情報が全くない状態で該データ伝送を復号することを要求される。関連する制御情報の援助を受けないデータ伝送のこの復号はブラインド復号と呼ばれる。初回の下り回線データ伝送試行のブラインド復号に対して、該ＵＥは所与のトランスポート・フォーマットを仮定し、そして、ＴＳ２５．２１４が初回の下り回線データ伝送試行に対して規定する冗長バージョン（redundancy version）（ＲＶ）に従ってデレート（derate）マッチング（即ち、受信されたトランスポート・ブロック内の諸ビットのデパンクチャリング（de-puncturing）若しくはデリピーティング（de-repeating））を実行する。該ＵＥは、ＴＳ２５．２１４が初回の下り回線データ伝送試行に対して規定するＲＶと最大４つ（必要な場合）のトランスポート・フォーマットを使用して、初回の下り回線データ伝送をブラインド復号することを試みる。文書ＴＳ２５．２１４は、対応するＨＳ−ＳＣＣＨ制御情報が復号されることが出来ない場合の任意の下り回線データ伝送試行に関して、この同じブラインド復号手順を適用することを指示する。
【発明の概要】
【０００８】
利用者装置におけるブラインド復号の成功率向上のために備えることが望ましい。
【図面の簡単な説明】
【０００９】
【図１】図１は本発明の具体例の実施形態に従って実行されることが出来る諸動作を例示する。
【図２】図２は本発明の具体例の実施形態に従う無線通信システムを図式的に例示する。
【図３】図３は本発明の具体例の実施形態に従って実行されることが出来る諸動作を例示する。
【発明を実施するための形態】
【００１０】
ＴＳ２５．２１４及びＴＳ２５．２１２に従って作られる制御およびデータ伝送を受信して処理する、本明細書に記載される全ての実施形態は、ＴＳ２５．２１４及びＴＳ２５．２１２の将来バージョンに従って作られる制御およびデータ伝送を含み、ＴＳ２５．２１４及びＴＳ２５．２１２に適合して作られる制御およびデータ伝送を受信して処理する諸製品を包含するものと理解されるべきである。
【００１１】
本発明は、文書ＴＳ２５．２１４が、ＨＳＬ動作における２回目と３回目の下り回線データ伝送試行（１回目と２回目の再送）に対して使用されるべき、冗長バージョンを規定している、という事実を活用する。上述のように、ＨＳ−ＳＣＣＨ上で送信される１回目または２回目の下り回線データ再送に関連する制御情報が、首尾よく復号されない場合、ＴＳ２５．２１４は、利用者装置が再送のブラインド復号を試みることを指示する。それぞれの１回目と２回目のデータ再送に割り当てられる冗長バージョンがＴＳ２５．２１４によって規定される限り、利用者設備は、１回目もしくは２回目のデータ再送が実際何であるかをブラインド復号することが必要な場合（即ち、ＨＳ−ＳＣＣＨ上で送信された関連の制御情報が首尾よく復号されない場合）、これ等の既知の冗長バージョンを効果的に利用することが出来るということを、本発明は認める。
【００１２】
冗長バージョンは（所与のトランスポート・フォーマットに対する）レート・マッチング手順を完全に規定する、即ち、符号化されたビット・ストリームと物理チャネル・ビット・ストリームとの間で、送信機においてパンクチャされる若しくは（さほど一般的ではないが）反復される諸ビットの位置を規定する。ＵＥでは、ＲＶに従うデレート・マッチングが、デパンクチャリング（即ち、正しい位置へのビット消失の導入）若しくは、さほど一般的ではないが、反復されたビットの積み上げ（accumulation）を可能にする。一般的には、それぞれの再送は、同じトランスポート・ブロックの先行する（諸）伝送に対して使用されたＲＶとは異なるＲＶを使用する。ＨＳＬ動作に対しては、初回の伝送と後続の２つの再送に対するＲＶ列がＴＳ２５．２１４で一意に限定される。再送は、通常、同一トランスポート・ブロックの先行する伝送と復号のために結合されるので、このことは効率的なインクリメンタル・リダンダンシー（incremental redundancy）利得をもたらす。ＨＳＬ動作での使用のためにＴＳ２５．２１４によって規定される冗長バージョンは、本明細書中で、ＨＳＬ冗長バージョンとも呼ばれる。
【００１３】
１回目のデータ再送が実際に何であるかということのブラインド復号を行うために、本発明は利用者装置が、該再送の既知の冗長バージョンを、４つの可能なトランスポート・フォーマットのそれぞれと組み合わせて、使用することを可能にする。同様に、２回目のデータ再送が実際に何であるかということのブラインド復号を行うために、利用者装置は、該再送の既知の冗長バージョンを、４つの可能なトランスポート・フォーマットのそれぞれと組み合わせて、使用することが出来る。所与のデータ再送の冗長バージョンを使用する柔軟性は、利用者装置が該再送を首尾よくブラインド復号することが出来る蓋然性を高める、それに対して、初回の伝送の不適切な冗長バージョンのみを使用することは（従来のＨＳＬ動作で行われるように）ほとんど確実に復号失敗をもたらす。
【００１４】
図１は、本発明の具体例の実施形態に従って、下り回線通信を受信する利用者装置によって実行されることが出来る諸動作を例示する。適用可能なトランスポート・フォーマットと冗長バージョンがＨＳ−ＳＣＣＨ上で受信される制御情報から知られるかどうかが、１１で判定される。トランスポート・フォーマット（ＴＦ）と冗長バージョン（ＲＶ）の任意の所与の組合せは又本明細書中ではＴＦ／ＲＶとも呼ばれる。１１で、もし適用可能なＴＦ／ＲＶが知られるならば、これはＨＳ−ＳＣＣＨが首尾よく復号されるときの１回目と２回目の再送に対する場合であり得る、この場合ブラインド復号は要求されない。１２で既知のＴＦ／ＲＶが選択され、その後１３で、該既知のＴＦ／ＲＶに基づくデレート・マッチングが従来技術に従って実行される。次に１４で、下り回線データ伝送の処理が従来技術に従って進行し、最後にＣＲＣ検査値を生成する。１５でＣＲＣ検査が合格する場合、該データ伝送の復号は成功である。その他の場合、復号は失敗に終わる。
【００１５】
もし、１１で、ＴＦ／ＲＶがＨＳ−ＳＣＣＨから知られないと、その場合ブラインド復号が要求される。ＴＦ／ＲＶは初回の伝送試行に対しては決して知られないし、もしＨＳ−ＳＣＣＨ復号が失敗すれば、１回目と２回目の再送試行に対しても知られない。もし、１１で、ＴＦ／ＲＶが知られない場合、１６で、該データ伝送に対する第１の可能なＴＦ／ＲＶが選択される。１７で、該選択されたＴＦ／ＲＶに基づくデレート・マッチングが従来技術に従って実行される。次に１８で、下り回線データ伝送の処理が従来技術に従って進行し、最後にＣＲＣ検査値を生成する。もし、１９で、ＣＲＣ検査が合格するならば、該データ伝送のブラインド復号は成功である。その他の場合、２０で、該データ伝送に対する別の可能なＴＦ／ＲＶがあるかどうかが判定される。肯の場合、１６で、該次に可能なＴＦ／ＲＶが選択される。１９でＣＲＣ検査値が合格する（該ブラインド復号は成功であることを示す）まで、若しくは、２０で、可能なＴＦ／ＲＶが残らなくなるまで、１６〜２０での動作が繰り返される。もし、２０で、可能なＴＦ／ＲＶが残ってないと判定されるならば、該データ伝送のブラインド復号は失敗に終わる。
【００１６】
図２は本発明の具体例の実施形態に従う無線通信システムを図式的に例示する。ある複数の実施形態では、図２のシステムは図１で例示される諸動作を実行することが出来る。ある複数の実施形態では、図２の利用者装置ＵＥは、ＨＳＬ動作に対してＴＳ２５．２１４に規定される、下り回線通信を受信して処理する性能がある。図２のシステムでは、ＴＳ２５．２１４でノードＢと呼ばれる、基地トランシーバ局２０は従来技術を使用して、無線通信回線２１を介して利用者装置ＵＥに、ＨＳ−ＳＣＣＨ（制御情報）とＨＳ−ＤＳＣＨ（データ）上で下り回線通信を送信する。第１処理部２４は、従来技術に従って動作して、ＨＳ−ＳＣＣＨ伝送を復号することを試行し、それによって適用可能なＴＦ／ＲＶを取得する。もし処理部２４がＨＳ−ＳＣＣＨからＴＦ／ＲＶを首尾よく取得するならば、該処理部２４は該成功を示す信号２７を供給し、そして更に３０で該首尾よく取得されたＴＦ／ＲＶを供給する。該処理部２４は、更に従来技術に従って動作して、ＨＳ−ＤＳＣＨ上で受信されたデータ伝送を、デレート・マッチングが適用されるべき、一般には２９で示される、段階まで、処理する。
【００１７】
制御部２２は処理部２４に結合されて成功指示信号２７を受領する。無論、ＨＳＬ動作期間に初回の下り回線伝送を処理する時には、ＴＦ／ＲＶがＨＳ−ＳＣＣＨ上で送信されないために、２７では成功指示がない。しかしながら、ＴＦ／ＲＶは、ＨＳＬ動作期間に１回目もしくは２回目の再送を処理する時には、ＨＳ−ＳＣＣＨから首尾よく取得されることが出来る。もし、２４で、ＴＦ／ＲＶが首尾よく取得されるならば、ブラインド復号は要求されない。その場合、信号２７は成功を指示し、そして制御部２２は、選択器２３を適切に制御することによって応答して、該既知のＴＦ／ＲＶを、３０から、選択器２３の出力３３に結合される、デレート・マッチング部２５へ送る。デレート・マッチング部２５は又処理部２４の出力２９にも結合され、そして、従来技術を使用して、選択器２３から受領されたＴＦ／ＲＶに従って、デレート・マッチングを実行する。
【００１８】
ポストデレート（post-derate）マッチング部２６はデレート・マッチング部２５に結合され、そして、デレート・マッチング部２５の出力結果３１を従来技術に従って処理し、最終的には、ＣＲＣ検査値を生成し、そして、該ＣＲＣ検査値を評価して該データ伝送の復号が成功しているかどうかを判定する。ポストデレート・マッチング部２６は、ＨＳ−ＤＳＣＨ上のデータ伝送の復号が成功したかどうかを指示する出力信号２８を供給する。ポストデレート・マッチング部２６は又、選択器２３の出力３３から、選択されたＴＦ／ＲＶ情報を受領し、そして、該ＴＦ情報を自身のデータ処理動作において従来法で使用する。
【００１９】
制御部２２を再び参照して、もし信号２７がＨＳ−ＳＣＣＨからＴＦ／ＲＶを取得することへの不成功を指示する場合、ブラインド復号が要求される。ブラインド復号動作の期間中、即ち、信号２７がＨＳ−ＳＣＣＨからＴＦ／ＲＶを取得することへの不成功を指示するとき、制御部２２は選択器２３を適切に制御して、（３２で指定される）複数の可能なＴＦ／ＲＶの内の選択された１つをデレート・マッチング部２５に送る。次にデレート・マッチング部２５は該選択されたＴＦ／ＲＶに従ってデレート・マッチングを実行し、そして、その結果３１をポストデレート・マッチング部２６に送る。ブラインド復号動作の期間中（即ち、信号２７がＨＳ−ＳＣＣＨからＴＦ／ＲＶを取得することへの不成功を指示する場合）、もし信号２８が現在選択されているＴＦ／ＲＶを使用してデータ伝送を復号することへの不成功を指示するならば、制御部２２は選択器２３を制御して該可能なＴＦ／ＲＶの内の別の選択された１つをデレート・マッチング部２５に送る。制御部２２は、選択器２３を適切に制御し続け３２における該可能なＴＦ／ＲＶを最後まで配列し、結局、ある選択されたＴＦ／ＲＶが２８において成功指示をもたらすか、若しくは、全ての可能なＴＦ／ＲＶが試行されて不成功に終わることになる。
【００２０】
アプリケーション実行部３４はポストデレート・マッチング部２６から、首尾よく復号されたデータ伝送中に含まれる、アプリケーション情報を受領する。アプリケーション実行部３４は、利用者アプリケーション、例えば、ＶｏＩＰアプリケーション、対話型ゲーム・アプリケーション、等々の実行に際して、該アプリケーション情報を使用する。
【００２１】
多様な実施形態がブラインド復号するための可能なＴＦ／ＲＶ（例えば、図１の１６と２０、及び図２の３２を参照）の多様なセットを使用する。例えば、３つの伝送の内の任意の所与の１つが何であり得るかをブラインド復号するとき、ある複数の実施形態は３つの可能なＲＶの全て、即ち、ＴＳ２５．２１４が第１、第２および第３伝送に対して規定する複数のＲＶ、を使用する。そのような実施形態では、総数１２のＴＦ／ＲＶが各伝送に関する使用のための可能性として考慮される。他の実施形態は種々の伝送に対して可能なＴＦ／ＲＶの多様な他のセットを使用する。
【００２２】
ある複数の実施形態は可能なＴＦ／ＲＶの数を制限する、即ち、種々の考察に基づいて可能なＴＦ／ＲＶ（例えば、図１の１６と２０、及び図２の３２を参照）のセットのサイズを制限する。例えば、ある複数の典型的な場合では、１２の可能なＴＦ／ＲＶの内の幾つかは適用不可能である。ＴＳ２５．２１４では１回目の再送に対して規定されるＲＶは自己復号可能ではない。この特定のＲＶを用いて、ノードＢにおけるレート・マッチング手順は、必要とされるならば、パリティ・ビットをパンクチャする前に、第１優先でシステマティック・ビット（systematic bits）をパンクチャする。システマティック・ビットとはチャネル符号器からその出力へ送られたそのままの情報データ・ビットである。パリティ・ビットは保護のために符号器によって生成される冗長ビットを表す。もしノードＢでシステマティック・ビットがパンクチャされるならば、ＵＥは該トランスポート・ブロックを自力で首尾よく復号することはできない。むしろ、該ＵＥは、システマティック・ビットがそれに対してはパンクチャされなかった、該データ伝送の過去のバージョンと結合することに頼らなければならない。これは通常、制御情報が首尾よく受信される、１回目の再送を受信するときに達成されるが、その理由は、該制御情報は先行（初回）の伝送に関する情報を含み、該先行伝送のＲＶは自己復号可能であるためである。しかしながら、ＵＥが１回目の再送試行において制御情報を取得できない場合、該再送は自力で復号されることしか出来ない。システマティック・ビットがノードＢでパンクチャされている場合、これは不可能である。１回目の再送では、該ＴＦのトランスポート・ブロック・サイズが比較的小さなものでない限り、一般的にシステマティック・ビットのパンクチャリングがノードＢで行われる。ある複数の実施形態では１回目の再送に対して可能な４つのＴＦ／ＲＶの全てが、ＵＥによって利用されることが可能なＴＦ／ＲＶのセットから無条件で除外される。
【００２３】
ある複数の実施形態は、１回目の再送に対して可能なＴＦ／ＲＶを、該ＴＦのトランスポート・ブロック・サイズがある閾値を超える場合のみ、除外する。そのような実施形態は、該ＴＦのトランスポート・ブロック・サイズが該閾値を超える場合、一般的にシステマティック・ビットのパンクチャリングがノードＢで行われるが、しかし該トランスポート・ブロック・サイズが該閾値を超えない場合、一般的にそれは行われない、ということを認める。図３は、ブラインド復号のために使用される可能なＴＦ／ＲＶ（例えば、図１の１６と２０、及び図２の３２を参照）のセットの範囲を限定するために、そのような実施形態に従って使用されることが出来る具体例の諸動作を例示する。１００で示されるように、初めは全ての可能なＴＦ／ＲＶが該セット中に含められる。１０１で、４つの可能なトランスポート・フォーマット（それ等の全ては従来のネットワーク・プロビジョニングから知られる）の内の１つが選択される、そして、１０２でその対応するトランスポート・ブロック（ＴＢ）サイズが閾値ＴＨと比較される。ある複数の実施形態では、ＴＨ＝２９２ビットである。もし該トランスポート・ブロック・サイズが閾値ＴＨを超えるならば、ノードＢでの１回目の再送のレート・マッチングの期間にシステマティック・ビットのパンクチャリングが行われると仮定される。従って、１０３では、１回目の再送と現在選択されたトランスポート・ブロックのサイズに対応するＴＦ／ＲＶが該セットから除去される。１０１と１０４から分るように、１０１と１０３における諸動作は、４つの可能なトランスポート・フォーマットとそれ等の対応するトランスポート・ブロック・サイズのそれぞれに対して実行される。１０５で生成される、可能なＴＦ／ＲＶの結果として得られるセットは、もし１０２において４つのトランスポート・ブロック・サイズの何れも閾値を超えない場合、１００で生成される最初のセットと同一である。その他の場合、どれだけの数のトランスポート・ブロック・サイズが１０２で閾値を超えるかに依存して、最初のセットから、１回目の再送と関連付けられるＴＦ／ＲＶの内１つだけ、２つ、３つ、若しくは４つ全てを削減することによって、種々の結果として得られるセットが生成される。
【００２４】
当業者には明白であるように、上記で記載された事柄は、ソフトウェア、ハードウェア、若しくはソフトウェアとハードウェアの組合せにおいて、例えば、ＴＳ２５．２１４適合利用者装置の従来の実例中のソフトウェア、ハードウェア、若しくはソフトウェアとハードウェアの組合せを適切に修正することによって、容易に実現されることが出来る。
【００２５】
本発明の具体例の諸実施形態が上記で詳細に説明されたけれども、これは本発明の範囲を限定しない。本発明は多様な実施形態において実行されることができる。
以下に本件出願当初の特許請求の範囲に記載された発明を付記する。
（１）ＨＳ−ＳＣＣＨ削減（HS-SCCH-less）（ＨＳＬ）動作期間中にＨＳ−ＤＳＣＨ上で受信されたデータ伝送を処理する方法であって、
該受信されたデータ伝送に対応する冗長バージョン情報がＨＳ−ＳＣＣＨから取得されることが出来ないＨＳＬ動作期間中の状態を特定すること、ここで前記冗長バージョン情報は該受信されたデータ伝送に対するデレート・マッチングを規定するＨＳＬ冗長バージョンを示しており、及び
前記特定することに応答して、前記状態におけるデレート・マッチングに対してＨＳＬによって規定されたＨＳＬ冗長バージョンとは異なる第１ＨＳＬ冗長バージョンに従って、該受信されたデータ伝送にデレート・マッチングを適用すること、
を具備する方法。
（２）前記特定することに応答して、前記規定されたＨＳＬ冗長バージョンに従って、該受信されたデータ伝送にデレート・マッチングを適用することを含む、請求項１の方法。
（３）ＨＳＬ冗長バージョンのセットの中から、前記第１ＨＳＬ冗長バージョンと前記規定されたＨＳＬ冗長バージョンを選択することを含む、（２）の方法。
（４）ＨＳＬ冗長バージョンの前記セットは、前記規定されたＨＳＬ冗長バージョンとは異なる第２ＨＳＬ冗長バージョンを除く、全てのＨＳＬ冗長バージョンを含む、（３）の方法。
（５）前記第２ＨＳＬ冗長バージョンは、パリティ・ビットのパンクチャリングの前にシステマティック・ビットのパンクチャリングを優先させるレート・マッチングを規定する、（４）の方法。
（６）該受信されたデータ伝送に関連付けられる可能性のある、トランスポート・ブロック・サイズを示す情報に基づいて、ＨＳＬ冗長バージョンの前記セットを限定することを含む、（２）の方法。
（７）前記限定することは、もし前記トランスポート・ブロック・サイズの全てがある閾値を超える場合、前記規定されたＨＳＬ冗長バージョンとは異なる第２ＨＳＬ冗長バージョンを前記セットから除外することを含む、（６）の方法。
（８）前記状態は、（a１）前記冗長バージョン情報がＨＳ−ＳＣＣＨから欠如していること及び（a２）前記冗長バージョン情報がＨＳ−ＳＣＣＨから復号されることが出来ないこと、の内の１つである、(１)の方法。
（９）ＨＳＬ動作期間中にＨＳ−ＤＳＣＨ上で受信されたデータ伝送を処理するための装置あって、
ＨＳ−ＤＳＣＨ上のデータ伝送を受信するための、及び、ＨＳ−ＳＣＣＨ上の制御情報伝送を受信するための入力端、
前記入力端に結合され、そして、受信されたデータ伝送に対応する冗長バージョン情報がＨＳ−ＳＣＣＨから取得されることができないＨＳＬ動作期間中の状態を特定して該状態の表示を生成するために構成された、入力処理部であって、前記冗長バージョン情報は該受信されたデータ伝送に対するデレート・マッチングを規定するＨＳＬ冗長バージョンを示す、入力処理部、
前記入力端に結合され、そして、該受信されたデータ伝送にデレート・マッチングを適用するために構成された、デレート・マッチング部、及び
前記入力処理部と前記デレート・マッチング部に結合される制御装置であって、前記制御装置は、前記状態におけるデレート・マッチングに対してＨＳＬによって規定されたＨＳＬ冗長バージョンとは異なる第１ＨＳＬ冗長バージョンに従って、該受信されたデータ伝送にデレート・マッチングを適用するように、前記デレート・マッチング部を制御するために、前記表示に応答する、制御装置、
を具備する装置。
（１０）前記制御装置は、前記規定されたＨＳＬ冗長バージョンに従って、該受信されたデータ伝送にデレート・マッチングを適用するように、前記デレート・マッチング部を制御するために、前記表示に更に応答する、(９)の装置。
（１１）前記制御装置は、ＨＳＬ冗長バージョンのセットの中から、前記第１ＨＳＬ冗長バージョンと前記規定されたＨＳＬ冗長バージョンを選択するための、選択器を含む、 (１０)の装置。
（１２）ＨＳＬ冗長バージョンの前記セットは、前記規定されたＨＳＬ冗長バージョンとは異なる第２ＨＳＬ冗長バージョンを除く、全てのＨＳＬ冗長バージョンを含む、(１１)の装置。
（１３）前記第２ＨＳＬ冗長バージョンは、パリティ・ビットのパンクチャリングの前にシステマティック・ビットのパンクチャリングを優先させるレート・マッチングを規定する、(１２)の装置。
（１４）ＨＳＬ動作期間中にＨＳ−ＤＳＣＨ上で受信されたデータ伝送を処理するための装置であって、
該受信されたデータ伝送に対応する冗長バージョン情報がＨＳ−ＳＣＣＨから取得されることができないＨＳＬ動作期間中の状態を特定するための手段、ここで前記冗長バージョン情報は該受信されたデータ伝送に対するデレート・マッチングを規定するＨＳＬ冗長バージョンを示す、及び
前記状態におけるデレート・マッチングに対してＨＳＬによって規定されるＨＳＬ冗長バージョンとは異なる第１ＨＳＬ冗長バージョンに従って、該受信されたデータ伝送にデレート・マッチングを適用するために、前記状態の特定に応答する手段、
を具備する装置。
（１５）前記規定されたＨＳＬ冗長バージョンに従って、該受信されたデータ伝送にデレート・マッチングを適用するために、前記状態の特定に応答する手段を含む、(１４)の装置。
（１６）ＨＳＬ冗長バージョンのセットの中から、前記第１ＨＳＬ冗長バージョンと前記規定されたＨＳＬ冗長バージョンを選択するための手段を含む、(１５)の装置。
（１７）ＨＳＬ冗長バージョンの前記セットは、前記規定されたＨＳＬ冗長バージョンとは異なる第２ＨＳＬ冗長バージョンを除く、全てのＨＳＬ冗長バージョンを含む、(１６)の装置。
（１８）前記第２ＨＳＬ冗長バージョンは、パリティ・ビットのパンクチャリングの前にシステマティック・ビットのパンクチャリングを優先させるレート・マッチングを規定する、(１７)の装置。
（１９）ＨＳＬ動作のための無線通信装置であって、
ＨＳ−ＤＳＣＨ上のデータ伝送を受信するための、及び、ＨＳ−ＳＣＣＨ上の制御情報伝送を受信するための入力端、
前記入力端に結合され、そして、受信されたデータ伝送に対応する冗長バージョン情報がＨＳ−ＳＣＣＨから取得されることができないＨＳＬ動作期間中の状態を特定して該状態の表示を生成するために構成された、入力処理部であって、前記冗長バージョン情報は該受信されたデータ伝送に対するデレート・マッチングを規定するＨＳＬ冗長バージョンを示す、入力処理部、
前記入力に結合され、そして、該受信されたデータ伝送にデレート・マッチングを適用するために構成された、デレート・マッチング部、及び
前記入力処理部と前記デレート・マッチング部に結合される制御装置であって、前記制御装置は、前記状態におけるデレート・マッチングに対してＨＳＬによって規定されたＨＳＬ冗長バージョンとは異なる第１ＨＳＬ冗長バージョンに従って、該受信されたデータ伝送にデレート・マッチングを適用するように、前記デレート・マッチング部を制御するために、前記表示に応答する、制御装置、及び
前記デレート・マッチング部に結合され、そして、該受信されたデータ伝送に含まれるアプリケーション情報に基づいて、利用者アプリケーションを実行するために構成されたアプリケーション実行部、
を具備する装置。
（２０）前記制御装置は、前記規定されたＨＳＬ冗長バージョンに従って、該受信されたデータ伝送にデレート・マッチングを適用するように、前記デレート・マッチング部を制御するために、前記表示に更に応答する、(１９)の装置。
（２１）前記制御装置は、ＨＳＬ冗長バージョンのセットの中から、前記第１ＨＳＬ冗長バージョンと前記規定されたＨＳＬ冗長バージョンを選択するための、選択器を含む、(２０)の装置。
（２２）ＨＳＬ冗長バージョンの前記セットは、前記規定されたＨＳＬ冗長バージョンとは異なる第２ＨＳＬ冗長バージョンを除く、全てのＨＳＬ冗長バージョンを含む、(２１)の装置。
（２３）前記第２ＨＳＬ冗長バージョンは、パリティ・ビットのパンクチャリングの前にシステマティック・ビットのパンクチャリングを優先させるレート・マッチングを規定する、(２２)の装置。
（２４）前記利用者アプリケーションはＶｏＩＰアプリケーションと対話型ゲーム・アプリケーションの内の１つを含む、(１９)の装置。
【図１】
0005399420.tif 000002
【図２】
0005399420.tif 000003
【図３】
0005399420.tif 000004